(57)【要約】      （修正有）【課題】コントラストの低下を抑えつつ、低電圧側の色ムラを改善することの可能な表示パネルモジュール、ならびにそれを備えた表示装置および投射型表示装置を提供する。【解決手段】表示装置は、電圧印加により光の偏光状態を電気的に変えることで画像光を生成する表示パネルモジュールと、電圧印加により表示パネルモジュールを駆動する駆動回路とを備えたものである。この表示装置において、表示パネルモジュールは、ノーマリーブラックの透過率特性または反射率特性において、低電圧側に変曲点が存在する光学特性となっている。【選択図】図７
2014021263.tif 000002
【特許請求の範囲】
【請求項１】
電圧印加により光の偏光状態を電気的に変えることで画像光を生成する表示パネルモジュールであって、
当該表示パネルモジュールは、ノーマリーブラックの透過率特性または反射率特性において、低電圧側に変曲点が存在する光学特性となっている
表示パネルモジュール。
【請求項２】
前記変曲点は、当該表示パネルモジュールの黒表示時の電圧に対応している
請求項１に記載の表示パネルモジュール。
【請求項３】
ノーマリーブラックの透過率特性または反射率特性を有し、かつ電圧印加により光の偏光状態を電気的に変えることで画像光を生成する液晶表示パネルと、
前記液晶表示パネルと対向して配置され、かつ電圧印加により光の偏光状態が電気的に変化するリターダと
を備えた
請求項１に記載の表示パネルモジュール。
【請求項４】
ノーマリーブラックの透過率特性または反射率特性において、低電圧側に変曲点が存在する光学特性となっており、かつ電圧印加により光の偏光状態を電気的に変えることで画像光を生成する液晶表示パネルを備えた
請求項１に記載の表示パネルモジュール。
【請求項５】
電圧印加により光の偏光状態を電気的に変えることで画像光を生成する表示パネルモジュールと、
電圧印加により前記表示パネルモジュールを駆動する駆動回路と
を備え、
前記表示パネルモジュールは、ノーマリーブラックの透過率特性または反射率特性において、低電圧側に変曲点が存在する光学特性となっている
表示装置。
【請求項６】
前記駆動回路は、黒表示時に、前記変曲点に対応する電圧を前記表示パネルモジュールに印加するようになっている
請求項５に記載の表示装置。
【請求項７】
前記表示パネルモジュールは、
ノーマリーブラックの透過率特性または反射率特性を有し、かつ電圧印加により光の偏光状態を電気的に変えることで画像光を生成する液晶表示パネルと、
前記液晶表示パネルと対向して配置され、かつ電圧印加により光の偏光状態が電気的に変化するリターダと
を有する
請求項５に記載の表示装置。
【請求項８】
前記駆動回路は、固定の電圧値を前記リターダに出力した後に、ホワイトバランス補正値およびγ補正値を用いて補正した映像信号を前記液晶表示パネルに出力するようになっている
請求項７に記載の表示装置。
【請求項９】
前記表示パネルモジュールは、
低電圧側に変曲点を有するノーマリーブラックの透過率特性または反射率特性を有し、かつ電圧印加により光の偏光状態を電気的に変えることで画像光を生成する液晶表示パネルを有する
請求項５に記載の表示装置。
【請求項１０】
照明光学系と、
電圧印加により前記照明光学系からの光の偏光状態を電気的に変えることで画像光を生成する表示パネルモジュールと、
電圧印加により前記表示パネルモジュールを駆動する駆動回路と、
前記表示パネルモジュールで生成された画像光を投射する投影光学系と
を備え、
前記表示パネルモジュールは、ノーマリーブラックの透過率特性または反射率特性において、低電圧側に変曲点が存在する光学特性となっている
投射型表示装置。
【発明の詳細な説明】
【技術分野】
【０００１】
本技術は、電圧印加により光の偏光状態を電気的に変えることで画像光を生成する表示パネルモジュール、ならびにそれを備えた表示装置および投射型表示装置に関する。
【背景技術】
【０００２】
液晶パネルでは、液晶パネルごとに、透過率特性または反射率特性が異なっている。さらに、液晶パネルでは、１枚の液晶パネル内においても、場所ごとに、透過率特性または反射率特性が異なっている。そのため、例えば全面白の画像を表示したときには場所ごとに色が付いて見えてしまう。そこで、従来では、例えば、電圧レベルを可変にし、透過率特性または反射率特性を変えることにより、色ムラの補正が行われている。色ムラ補正に関しては、例えば、特許文献１に記載されている。
【０００３】
図２４は、従来の色ムラ補正の一例を表したものである。図２４では、補正点が７箇所設けられている。例えば、中間諧調に対応するＡ点では、電圧レベルを上げたり、下げたりすることができるが、低諧調に対応するＢ点では、電圧レベルを下げることができない。さらに、Ｂ点では、反射率特性の感度が電圧変動に対して鈍い。そのため、Ｂ点では、色ムラの補正を十分に行うことができない。
【先行技術文献】
【特許文献】
【０００４】
【特許文献１】特開２００８−１４８０５５号公報
【発明の概要】
【発明が解決しようとする課題】
【０００５】
そこで、例えば、図２５に示したように、液晶パネルの黒表示時の電圧（有効電圧範囲の下限の電圧）を０ボルトよりも大きな電圧値に引き上げることが考えられる。これにより、液晶パネルの有効電圧範囲が狭まるが、補正できる領域範囲を広げることができ、低電圧側の色ムラを補正することができる。しかし、そのようにした場合には、有効電圧範囲の下限の電圧における反射率が０ではなくなり、黒浮きが生じる。その結果、コントラストが低下してしまうという問題がある。
【０００６】
本技術はかかる問題点に鑑みてなされたもので、その目的は、コントラストの低下を抑えつつ、低電圧側の色ムラを改善することの可能な表示パネルモジュール、ならびにそれを備えた表示装置および投射型表示装置を提供することにある。
【課題を解決するための手段】
【０００７】
本技術の表示パネルモジュールは、電圧印加により光の偏光状態を電気的に変えることで画像光を生成する表示パネルモジュールである。この表示パネルモジュールは、ノーマリーブラックの透過率特性または反射率特性において、低電圧側に変曲点が存在する光学特性となっている。ここで、ノーマリーブラックとは、電圧がかかっていない時に透過率あるいは反射率が最小となり 、黒表示になる光学特性を指している。また、変曲点とは、幾何学的にいえば、曲線上で曲率の符号（プラス、マイナス）が変化する点（この点では０となる）を指している。従って、上記の表示パネルモジュールは、低電圧側に、透過率特性または反射率特性が局所的に下がっている箇所のある光学特性を有している。
【０００８】
本技術の表示装置は、電圧印加により光の偏光状態を電気的に変えることで画像光を生成する表示パネルモジュールと、電圧印加により表示パネルモジュールを駆動する駆動回路とを備えたものである。この表示装置において、表示パネルモジュールは、ノーマリーブラックの透過率特性または反射率特性において、低電圧側に変曲点が存在する光学特性となっている。
【０００９】
本技術の投射型表示装置は、照明光学系と、電圧印加により照明光学系からの光の偏光状態を電気的に変えることで画像光を生成する表示パネルモジュールとを備えている。この投射型表示装置は、さらに、電圧印加により表示パネルモジュールを駆動する駆動回路と、表示パネルモジュールで生成された画像光を投射する投影光学系とを備えている。この投射型表示装置において、表示パネルモジュールは、ノーマリーブラックの透過率特性または反射率特性において、低電圧側に変曲点が存在する光学特性となっている
【００１０】
本技術の表示パネルモジュール、表示装置および投射型表示装置では、表示パネルモジュールが、ノーマリーブラックの透過率特性または反射率特性において、低電圧側に変曲点が存在する光学特性となっている。これにより、例えば、表示パネルモジュールの黒表示時の電圧（有効電圧範囲の下限の電圧）を０ボルトよりも大きな電圧値にした場合に、光学特性の変曲点を、有効電圧範囲の下限の電圧に対応させておくことができる。その結果、有効電圧範囲の下限の電圧における反射率を０またはそれに近い値にすることができるので、コントラストの低下を抑えることができる。また、有効電圧範囲の下限の電圧を０ボルトよりも大きな電圧値にしたことにより、低電圧側の透過率特性または反射率特性の、電圧変動に対する感度を高くすることができる。その結果、低電圧側の色ムラの補正を十分に行うことができる。
【発明の効果】
【００１１】
本技術の表示パネルモジュール、表示装置および投射型表示装置によれば、表示パネルモジュールを、ノーマリーブラックの透過率特性または反射率特性において、低電圧側に変曲点が存在する光学特性にしたので、コントラストの低下を抑えつつ、低電圧側の色ムラを改善することができる。
【図面の簡単な説明】
【００１２】
【図１】本技術の第１の実施の形態に係る表示装置の機能ブロック図である。
【図２】図１の液晶表示パネルの概略構成図である。
【図３】図１の液晶表示パネルの光学特性の一例を表す図である。
【図４】図１の液晶表示パネルの光学特性の他の例を表す図である。
【図５】図１のリターダの断面構成の一例を表す図である。
【図６】図１のリターダの断面構成の他の例を表す図である。
【図７】図１の液晶表示パネルおよびリターダを重ね合わせたときの光学特性の一例を表す図である。
【図８】図１の液晶表示パネルおよびリターダを重ね合わせたときの光学特性の他の例を表す図である。
【図９】図１の液晶表示パネルおよびリターダを重ね合わせたときの光学特性のその他の例を表す図である。
【図１０】図１の信号処理回路の概略構成の一例を表す図である。
【図１１】図１の信号処理回路の動作の一例を表す図である。
【図１２】図１の液晶ドライバの機能ブロック図である。
【図１３】図１の表示装置における各種設定値の導出過程の一例を表す図である。
【図１４】図１の表示装置におけるホワイトバランスの補正の一例を表す図である。
【図１５】図１の表示装置におけるホワイトバランスの補正の他の例を表す図である。
【図１６】図１の表示装置におけるホワイトバランスの補正のその他の例を表す図である。
【図１７】本技術の第２の実施の形態に係る表示装置の概略構成の一例を表す図である。
【図１８】図１７の液晶表示パネルの光学特性の一例を表す図である。
【図１９】図１７の液晶表示パネルの光学特性の他の例を表す図である。
【図２０】図１７の液晶表示パネルの光学特性のその他の例を表す図である。
【図２１】図１７の表示装置におけるホワイトバランスの補正の一例を表す図である。
【図２２】本技術の第３の実施の形態に係るプロジェクタ（投射型表示装置）の概略構成の一例を表す図である。
【図２３】図２２のプロジェクタの一変形例を表す図である。
【図２４】従来の表示装置におけるホワイトバランスの補正の一例を表す図である。
【図２５】従来の表示装置におけるホワイトバランスの補正の他の例を表す図である。
【発明を実施するための形態】
【００１３】
以下、発明を実施するための形態について、図面を参照して詳細に説明する。なお、説明は以下の順序で行う。
１．第１の実施の形態（表示装置）
２．第２の実施の形態（表示装置）
３．第３の実施の形態（投射型表示装置）
４．第４の実施の形態（投射型表示装置）
【００１４】
＜１．第１の実施の形態＞
[構成]
図１は、本技術の第１の実施の形態に係る表示装置１の概略構成を表すものである。この表示装置１は、３板式のプロジェクタ（投射型表示装置）のライトバルブとして適用可能なものである。表示装置１は、例えば、液晶表示パネル（ＬＣＤ：Liquid Crystal Display）１０Ｒ，１０Ｇ，１０Ｂと、リターダ２０Ｒ，２０Ｇ，２０Ｂと、駆動回路３０とを備えている。なお、液晶表示パネル１０Ｒ，１０Ｇ，１０Ｂが、透過型となっている場合には、表示装置１は、液晶表示パネル１０Ｒ，１０Ｇ，１０Ｂの背後に、図示しない光源を備えている。
【００１５】
以下では、液晶表示パネル１０Ｒ，１０Ｇ，１０Ｂの総称として、液晶表示パネル１０を用いるものとする。同様に、リターダ２０Ｒ，２０Ｇ，２０Ｂの総称として、リターダ２０を用いるものとする。また、液晶表示パネル１０およびリターダ２０を重ね合わせた光学モジュールが、本技術の「電圧印加により光の偏光状態を電気的に変えることで画像光を生成する表示パネルモジュール」の一具体例に相当する。この光学モジュールは、ノーマリーブラックの透過率特性または反射率特性において、低電圧側に変曲点が存在する光学特性となっている。
【００１６】
ここで、ノーマリーブラックとは、電圧がかかっていない時に透過率あるいは反射率が最小となり 、黒表示になる光学特性を指している。また、変曲点とは、幾何学的にいえば、曲線上で曲率の符号（プラス、マイナス）が変化する点（この点では０となる）を指している。従って、上記の光学モジュールは、低電圧側に、透過率特性または反射率特性が局所的に下がっている箇所のある光学特性を有している。なお、ここで言及している光学特性については、後に詳述するものとする。
【００１７】
（液晶表示パネル１０）
液晶表示パネル１０は、電圧印加により光の偏光状態を電気的に変えることで画像光を生成するものである。液晶表示パネル１０Ｒは、入力された赤色用の映像信号ＶｓｉｇＲ１〜ＶｓｉｇＲＮに基づいて入射光を変調することにより、赤色の映像光を生成するものである。液晶表示パネル１０Ｇは、入力された緑色用の映像信号ＶｓｉｇＧ１〜ＶｓｉｇＧＮに基づいて入射光を変調することにより、緑色の映像光を生成するものである。液晶表示パネル１０Ｂは、入力された青色用の映像信号ＶｓｉｇＢ１〜ＶｓｉｇＢＮに基づいて入射光を変調することにより、青色の映像光を生成するものである。以下では、映像信号ＶｓｉｇＲ１〜ＶｓｉｇＲＮ、ＶｓｉｇＧ１〜ＶｓｉｇＧＮ、ＶｓｉｇＢ１〜ＶｓｉｇＢＮの総称として、映像信号Ｖｓｉｇ１〜ＶｓｉｇＮを用いるものとする。
【００１８】
図２は、図１の液晶表示パネル１０の概略構成の一例を表したものである。液晶表示パネル１０は、例えば、パネル部１１と、パネル部１１に接続されたフレキシブルプリント基板（ＦＰＣ：Flexible printed circuits）１２（以下、ＦＰＣ１２と称する。）とを有している。パネル部１１は、例えば、複数の画素１４がマトリクス状に形成された画素領域１３と、データ線駆動回路１５と、走査線駆動回路１６とを有している。パネル部１１は、各画素１４がデータ線駆動回路１５および走査線駆動回路１６によってアクティブ駆動されることにより、外部から入力されたデジタルの映像信号に基づく画像光を生成するものである。
【００１９】
パネル部１１は、行方向に延在する複数の書込線ＷＳＬと、列方向に延在する複数の信号線ＤＴＬとを有している。信号線ＤＴＬと書込線ＷＳＬとの交差部分に対応して、画素１４が設けられている。各信号線ＤＴＬは、データ線駆動回路１５の出力端（図示せず）に接続されている。各書込線ＷＳＬは、走査線駆動回路１６の出力端（図示せず）に接続されている。
【００２０】
データ線駆動回路１５は、例えば、駆動回路３０から供給される１水平ライン分のアナログの映像信号を、各画素１４に信号電圧として供給するものである。具体的には、データ線駆動回路１５は、例えば、１水平ライン分のアナログの映像信号を、走査線駆動回路１６により選択された１水平ラインを構成する各画素１４に、信号線ＤＴＬを介してそれぞれ供給するものである。
【００２１】
走査線駆動回路１６は、例えば、駆動回路３０から供給される走査タイミング制御信号に応じて、駆動対象の画素１４を選択する機能を有している。具体的には、走査線駆動回路１６は、例えば、走査線ＷＳＬを介して、選択パルスを画素１４の選択回路（図示せず）に印加することにより、マトリックス状に形成されている画素１４のうちの１行を駆動対象として選択するようになっている。そして、これらの画素１４では、データ線駆動回路１５から供給される信号電圧に応じて、１水平ラインの表示がなされる。このようにして、走査線駆動回路１６は、例えば、時分割的に１水平ラインずつ順次走査を行い、画素領域全体にわたった表示を行うようになっている。
【００２２】
液晶表示パネル１０は、ノーマリーブラックの透過率特性または反射率特性を有している。液晶表示パネル１０は、例えば、図３に示したように、ノーマリーブラックの反射率特性を有しており、低電圧側に変曲点を有していない。液晶表示パネル１０の有効電圧範囲は、Ｖ１ボルト（＞０ボルト）〜Ｖ２ボルトとなっている。つまり、液晶表示パネル１０の黒表示時の電圧（有効電圧範囲の下限の電圧）が、０ボルトよりも大きな電圧値に引き上げられている。なお、液晶表示パネル１０は、例えば、図４に示したように、ノーマリーブラックの透過率特性を有していてもよい。このときも、液晶表示パネル１０は、低電圧側に変曲点を有しておらず、液晶表示パネル１０の有効電圧範囲が、Ｖ１ボルト（＞０ボルト）〜Ｖ２ボルトとなっている。つまり、液晶表示パネル１０の黒表示時の電圧（有効電圧範囲の下限の電圧）が、０ボルトよりも大きな電圧値に引き上げられている。なお、有効電圧範囲は、後述するＤ／Ａ変換回路６２によって設定されている。
【００２３】
（リターダ２０）
リターダ２０は、液晶表示パネル１０と対向して配置されており、例えば、液晶表示パネル１０の光入射面側に配置されていたり、液晶表示パネル１０光出射面側に配置されていたりする。リターダ２０は、電圧印加により光の偏光状態が電気的に変化するものであり、例えば、光学異方性を持つ物質の複屈折を利用して光の偏光状態を電気的に変える液晶リターダである。リターダ２０は、例えば、図５に示したように、透明基板２１、下側電極２２、配向膜２３、液晶層２４、配向膜２５、上側電極２６および透明基板２７をこの順に配置されたものである。
【００２４】
透明基板２１，２７は、液晶層２４を間にして互いに対向配置されている。透明基板２１，２７は、液晶層２４を支持するものであり、一般に、可視光に対して透明な基板、例えば、ガラス板や、プラスチックフィルムによって構成されている。下側電極２２は、透明基板２１のうち透明基板２７との対向面上に設けられたものであり、例えば、図５に示したように、マトリクス状に配置された複数の部分電極２２Ａによって構成されている。上側電極２６は、透明基板２７のうち透明基板２１との対向面上に設けられたものであり、例えば、図５に示したように、１枚のシート状電極２６Ａによって構成されている。下側電極２２および上側電極２６は、例えば、ＩＴＯ膜によって構成されている。なお、図６に示したように、下側電極２２および上側電極２６が、ともに、１枚のシート状電極によって構成されていてもよい。
【００２５】
下側電極２２および上側電極２６をリターダ２０の法線方向から見たときに、リターダ２０のうち下側電極２２および上側電極２６が互いに対向している箇所に対応する部分が光変調セル２０−１を構成している（図５参照）。各光変調セル２０−１は、下側電極２２および上側電極２６に所定の電圧を印加することにより別個独立に駆動することの可能なものであり、下側電極２２および上側電極２６に印加される電位差の大きさに応じて、リターダ２０を透過した光の偏光状態を変化させるようになっている。各光変調セル２０−１は、画素１４と対向する位置に配置されていてもよい。この場合には、リターダ２０を透過した後の光の偏光状態を、画素１４ごとに変えることが可能となる。なお、リターダ２０を透過した後の光の偏光状態を、画素１４ごとに変える必要の無い場合には、図６に示したように、下側電極２２および上側電極２６が、ともに、１枚のシート状電極によって構成されていてもよい。
【００２６】
配向膜２３，２５は、例えば、液晶層２４に用いられる液晶分子を配向させるものである。配向膜の種類としては、例えば、垂直配向膜および水平配向膜があるが、例えば、配向膜２３が水平配向膜となっており、配向膜２５が垂直配向膜となっていてもよい。配向膜２３，２５は、例えば、ポリイミド、ポリアミドイミド、ポリビニルアルコールなどをラビング処理することにより形成された配向膜、転写やエッチングなどにより溝形状が付与された配向膜が挙げられる。
【００２７】
図７は、液晶表示パネル１０およびリターダ２０を重ね合わせた光学モジュールの光学特性の一例を表したものである。なお、以下では、この光学モジュールを、光学モジュール１７と表現するものとする。光学モジュール１７は、液晶表示パネル１０単体や、リターダ２０単体の光学特性とは異なる特性となっており、具体的には、液晶表示パネル１０の光学特性と、リターダ２０の光学特性とを互いに足し合わせた特性となっている。光学モジュール１７は、ノーマリーブラックの透過率特性または反射率特性において、低電圧側に変曲点Ｐが存在する光学特性となっている。変曲点Ｐは、光学モジュール１７の黒表示時の電圧（図中のＶ１）に対応していることが好ましいが、例えば、図８に示したように、Ｖ１よりも若干小さな電圧に対応していてもよく、例えば、図９に示したように、Ｖ１よりも若干大きな電圧に対応していてもよい。このように、変曲点Ｐに対応する電圧と、光学モジュール１７の黒表示時の電圧Ｖ１との間に相違があってもよいが、その場合には、電圧Ｖ１は、電圧Ｖ１を光学モジュール１７に印加したときの輝度と、変曲点Ｐに対応する電圧を光学モジュール１７に印加したときの輝度との差を人が視認できない程度の電圧値となっていることが好ましい。なお、図示しないが、この光学モジュールの光学特性において、複数の変曲点Ｐが存在していてもよい。
【００２８】
（駆動回路３０）
駆動回路３０は、例えば、図１に示したように、信号処理回路４０、タイミング生成回路５０、液晶ドライバ６０Ｒ，６０Ｇ，６０Ｂ、ＶＣＯＭ回路７０、およびリターダ制御回路８０を有している。以下では、液晶ドライバ６０Ｒ，６０Ｇ，６０Ｂの総称として、液晶ドライバ６０を用いるものとする。また、信号処理回路４０から出力される映像信号ＤＡＲ，ＤＡＧ，ＤＡＢの総称として、映像信号ＤＡを用いるものとする。
【００２９】
（リターダ制御回路８０）
まず、リターダ制御回路８０について説明する。リターダ制御回路８０は、リターダ２０に対して所定の電圧Ｖｒを印加するようになっている。電圧Ｖｒは、固定値であってもよいし、可変値であってもよい。電圧Ｖｒが可変値である場合であって、かつリターダ２０が複数の部分電極２２Ａを有しているときには、電圧Ｖｒが、部分電極２２Ａごとに設定されていてもよい。
【００３０】
電圧Ｖｒが固定値となっている場合には、リターダ制御回路８０は、駆動回路３０内の固定電位線（図示せず）の電圧を利用して、電圧Ｖｒをリターダ２０に出力するようになっていてもよい。また、電圧Ｖｒが可変値となっている場合には、リターダ制御回路８０は、電圧Ｖｒを生成する回路（電圧生成回路）を有していてもよい。電圧生成回路は、例えば、電圧Ｖｒのデータを格納する記憶部と、記憶部から読み出した電圧Ｖｒのデータから電圧Ｖｒを生成し（例えば、Ｄ／Ａ変換して電圧Ｖｒを生成し）、リターダ２０に出力する出力部とを含んで構成されている。
【００３１】
リターダ制御回路８０は、例えば、液晶ドライバ６０が液晶表示パネル１０に映像信号Ｖｓｉｇ１〜ＶｓｉｇＮを出力するタイミングと同期して、電圧Ｖｒを出力するようになっている。なお、リターダ制御回路８０は、映像信号Ｖｓｉｇ１〜ＶｓｉｇＮの出力タイミングに依らずに、電圧Ｖｒを出力するようになっていてもよい。電圧Ｖｒは、映像信号Ｖｓｉｇ１〜ＶｓｉｇＮが液晶表示パネル１０に印加される時に、リターダ２０に印加されていることが好ましい。このようにした場合には、リターダ２０に電圧Ｖｒが印加される前後で、表示装置１から出力される映像光に変化が生じるのを防ぐことができる。
【００３２】
（信号処理回路４０）
信号処理回路４０は、映像信号Ｄｉｎから、液晶表示パネル１０Ｒ用の映像信号ＤＡＲ’、液晶表示パネル１０Ｇ用の映像信号ＤＡＧ’、液晶表示パネル１０Ｂ用の映像信号ＤＡＢ’を生成するようになっている。信号処理回路４０は、また、それらの映像信号に対して所定の補正を行い、補正後の映像信号を、映像信号ＤＡＲ，ＤＡＧ，ＤＡＢとして、液晶ドライバ６０に出力するようになっている。ここで、所定の補正としては、例えば、γ補正や、ホワイトバランス補正などが挙げられる。γ補正とは、ガンマ値に応じた最適のカーブに画像の階調を補正することを指している。ホワイトバランス補正とは、さまざまな色温度の光源のもとで、白色を正確に白く映し出すように補正することを指している。信号処理回路４０は、さらに、制御信号Ｔｉｎに含まれている水平同期信号および垂直同期信号に基づくタイミングで、映像信号ＤＡＲ，ＤＡＧ，ＤＡＢを液晶ドライバ６０に出力するようになっている。
【００３３】
図１０は、信号処理回路４０の内部構成の一部を表したものである。図１１は、信号処理回路４０およびリターダ制御回路８０における動作の一例を表したものである。信号処理回路４０は、例えば、上述の所定の補正を行う映像信号補正部４１と、上述の所定の補正の際に利用する補正値を格納した記憶部４２とを有している。記憶部４２は、例えば、ホワイトバランスを調整する際に用いる補正値（ホワイトバランス補正値４２Ａ）と、γ補正の際に用いる補正値（γ補正値４２Ｂ）とを格納している。映像信号補正部４１は、リターダ制御回路８０が固定の電圧Ｖｒをリターダ２０に出力した後に（ステップＳ１０１）、ホワイトバランス補正値４２Ａと、γ補正値４２Ｂとを用いて、各色用の映像信号ＤＡＲ’，ＤＡＧ’，ＤＡＢ’を補正し、補正により得られた映像信号を、映像信号ＤＡＲ，ＤＡＧ，ＤＡＢとして、液晶ドライバ６０に出力するようになっている（ステップＳ１０２）。なお、映像信号補正部４１は、リターダ制御回路８０が電圧Ｖｒをリターダ２０に出力すると同時に、映像信号ＤＡＲ，ＤＡＧ，ＤＡＢを液晶ドライバ６０に出力するようになっていてもよい。
【００３４】
（タイミング生成回路５０）
タイミング生成回路５０は、制御信号Ｔｉｎに含まれている水平同期信号および垂直同期信号に基づいて、液晶表示パネル１０の駆動用タイミングパルスであって、かつ、水平、垂直の書き込み転送を制御するためのタイミングパルスＴＰを生成するようになっている。タイミング生成回路５０は、生成したタイミングパルスＴＰを所定のタイミングで液晶表示パネル１０に出力するようになっている。タイミング生成回路５０は、タイミングパルスＴＰとして、例えば、水平走査の開始を指令する水平スタートパルス、水平走査の基準となる水平クロック、垂直走査の開始を指令する垂直スタートパルス、垂直走査の基準となる垂直クロックを生成するようになっている。タイミング生成回路５０は、さらに、液晶ドライバ６０用のクロックＣＬＫを生成し、液晶ドライバ６０に出力するようになっている。
【００３５】
（液晶ドライバ６０）
図１２は、液晶ドライバ６０を機能ブロックで表したものである。液晶ドライバ６０は、例えば、サンプル・ホールド回路６１、Ｄ／Ａ変換回路６２、およびドライバ６３を有している。サンプル・ホールド回路６１は、シリアルデジタルの映像信号ＤＡに対して並列化処理を行い、複数並列の映像信号に展開するようになっている。サンプル・ホールド回路６１は、相展開した映像信号を、タイミング生成回路５０からのクロックＣＬＫに基づいたタイミングで、Ｄ／Ａ変換回路６２に出力するようになっている。Ｄ／Ａ変換回路６２は、サンプル・ホールド回路６１から入力された映像信号（相展開した映像信号）をアナログ信号化して、ドライバ６３に出力するようになっている。Ｄ／Ａ変換回路６２がドライバ６３に出力する電圧の範囲が、液晶表示パネル１０の有効電圧範囲に対応する。つまり、Ｄ／Ａ変換回路６２が液晶表示パネル１０の有効電圧範囲を規定している。ドライバ６３は、タイミング生成回路５０から出力されたクロックＣＬＫに基づく所定のタイミングで、アナログの映像信号を交流反転化させて、映像信号Ｖｓｉｇ１〜ＶｓｉｇＮとして、液晶表示パネル１０に印加するようになっている。
【００３６】
（ＶＣＯＭ回路７０）
ＶＣＯＭ回路７０は、所定のコモン電圧Ｖｃｏｍを生成して、液晶表示パネル１０に印加するようになっている。
【００３７】
[補正値の導出]
次に、電圧Ｖｒ、ホワイトバランス補正値４２Ａおよびγ補正値４２Ｂの導出について説明する。図１３は、補正値の導出の手順の一例を表したものである。電圧Ｖｒ、ホワイトバランス補正値４２Ａおよびγ補正値４２Ｂは、表示装置１の工場出荷前に行われる試験によって得られるものであり、表示装置１の工場出荷時には、表示装置１内の所定の記憶領域（例えば、記憶部４２）に格納されるものである。
【００３８】
まず、工場出荷前の試験を実施する試験装置（以下、単に「試験装置」と称する。）が、表示装置１のリターダ２０に印加する電圧値Ｖｒとして、初期値を設定する。さらに、試験装置は、液晶表示パネル１０に印加する電圧値（映像信号Ｖｓｉｇ１〜ＶｓｉｇＮ）として、複数組の電圧値を設定する。そして、試験装置は、電圧Ｖｒとして初期値をリターダ２０に印加したのち、映像信号Ｖｓｉｇ１〜ＶｓｉｇＮとして、複数組の電圧値を時系列に印加して、液晶表示パネル１０に映像を表示させる（ステップＳ２０１）。
【００３９】
次に、試験装置は、液晶表示パネル１０に映像を表示させている間に、表示映像を撮影する（ステップＳ２０２）。具体的には、試験装置は、液晶表示パネル１０Ｒの映像光、液晶表示パネル１０Ｇの映像光、および液晶表示パネル１０Ｂの映像光の合成光（表示映像）を撮影する。次に、試験装置は、撮影した表示映像に対して、ホワイトバランスの調整を行うことにより、リターダ２０に印加する電圧Ｖｒと、液晶表示パネル１０に印加する電圧の有効電圧範囲と、ホワイトバランス補正値とを導出する（ステップＳ２０３）。
【００４０】
ここで、電圧Ｖｒが可変値となっている場合には、試験装置が電圧Ｖｒを変化させることにより、例えば、図１４、図１５に示したように、光学モジュール１７の光学特性における変曲点Ｐを、低電圧側にシフトさせることができる。これにより、試験装置は、低電圧側でもホワイトバランスの調整を行うことができる。なお、光学モジュール１７の光学特性における変曲点Ｐを、低電圧側にシフトさせたときに、例えば、図１４に示したように、液晶表示パネル１０に印加する電圧の有効電圧範囲の下限を、変曲点Ｐの変位に対応して変化させた場合には、変曲点Ｐに対応する電圧を、液晶表示パネル１０に印加する電圧の有効電圧範囲の下限に対応させることができる。ただし、光学モジュール１７の光学特性における変曲点Ｐを、低電圧側にシフトさせたときに、例えば、図１５に示したように、液晶表示パネル１０に印加する電圧の有効電圧範囲の下限を、変曲点Ｐの変位に拘わらず一定としてもよい。このようにした場合には、変曲点Ｐに対応する電圧と、光学モジュール１７の黒表示時の電圧Ｖ１との間に相違が生じる。しかし、その場合には、変曲点Ｐに対応する電圧が、電圧Ｖ１を光学モジュール１７に印加したときの輝度と、変曲点Ｐに対応する電圧を光学モジュール１７に印加したときの輝度との差を人が視認できない程度の電圧値となっていることが好ましい。
【００４１】
また、電圧Ｖｒが固定値となっている場合には、試験装置は、例えば、図１６に示したように、液晶表示パネル１０に印加する電圧の有効電圧範囲の下限を、変曲点Ｐに対応する電圧よりも小さな電圧に設定してもよい。また、試験装置は、例えば、図示しないが、液晶表示パネル１０に印加する電圧の有効電圧範囲の下限を、変曲点Ｐに対応する電圧よりも大きな電圧に設定してもよい。これらのようにした場合には、変曲点Ｐに対応する電圧と、光学モジュール１７の黒表示時の電圧Ｖ１との間に相違が生じる。しかし、その場合には、電圧Ｖ１が、電圧Ｖ１を光学モジュール１７に印加したときの輝度と、変曲点Ｐに対応する電圧を光学モジュール１７に印加したときの輝度との差を人が視認できない程度の電圧値となっていることが好ましい。
【００４２】
次に、試験装置は、ホワイトバランス補正により導出した電圧Ｖｒをリターダ２０に印加したのち、液晶表示パネル１０に、映像信号Ｖｓｉｇ１〜ＶｓｉｇＮとして、有効電圧範囲の複数組の電圧を時系列に印加して、液晶表示パネル１０に映像を表示させる（ステップＳ２０４）
【００４３】
次に、試験装置は、液晶表示パネル１０に映像を表示させている間に、表示映像を撮影する（ステップＳ２０５）。具体的には、試験装置は、ホワイトバランス補正により導出した電圧Ｖｒをリターダ２０に印加したのち、液晶表示パネル１０に、映像信号Ｖｓｉｇ１〜ＶｓｉｇＮとして、有効電圧範囲の複数組の電圧を時系列に印加している間、液晶表示パネル１０Ｒの映像光、液晶表示パネル１０Ｇの映像光、および液晶表示パネル１０Ｂの映像光をそれぞれ別個に撮影する。次に、試験装置は、撮影した表示映像から、γ補正値を導出する（ステップＳ２０６）。
【００４４】
試験装置は、電圧Ｖｒ、ホワイトバランス補正値４２Ａおよびγ補正値４２Ｂを導出したのち、表示装置１内の所定の記憶領域（例えば、記憶部４２）に格納する。このようにして、工場出荷前の試験（補正）が行われる。
【００４５】
[効果]
次に、表示装置１の効果について説明する。表示装置１では、光学モジュール１７が、ノーマリーブラックの透過率特性または反射率特性において、低電圧側に変曲点Ｐが存在する光学特性となっている。これにより、例えば、光学モジュール１７の黒表示時の電圧（有効電圧範囲の下限の電圧）を０ボルトよりも大きな電圧値にした場合に、光学特性の変曲点Ｐを、有効電圧範囲の下限の電圧に対応させておくことができる。ただし、変曲点Ｐを完全に、有効電圧範囲の下限の電圧にする必要はなく、人の視認性が変化しない範囲内で、変曲点Ｐに対応する電圧が有効電圧範囲の下限の電圧と異なっていてもよい。
【００４６】
その結果、有効電圧範囲の下限の電圧における反射率を０またはそれに近い値にすることができるので、コントラストの低下を抑えることができる。また、有効電圧範囲の下限の電圧を０ボルトよりも大きな電圧値にしたことにより、低電圧側の透過率特性または反射率特性の、電圧変動に対する感度を高くすることができる。その結果、低電圧側の色ムラの補正を十分に行うことができる。従って、コントラストの低下を抑えつつ、低電圧側の色ムラを改善することができる。
【００４７】
＜２．第２の実施の形態＞
[構成]
図１７は、本技術の第２の実施の形態に係る表示装置２の概略構成を表すものである。この表示装置２は、３板式のプロジェクタ（投射型表示装置）のライトバルブとして適用可能なものである。表示装置２は、上記実施の形態の表示装置１において、液晶表示パネル１０（１０Ｒ，１０Ｇ，１０Ｂ）を、液晶表示パネル９０（９０Ｒ，９０Ｇ，９０Ｂ）に置き換えるとともに、リターダ２０およびリターダ制御回路８０を省略したものに相当する。従って、以下では、表示装置１と相違する点について主に説明し、表示装置１と共通する点については適宜、省略するものとする。
【００４８】
以下では、液晶表示パネル９０Ｒ，９０Ｇ，９０Ｂの総称として、液晶表示パネル９０を用いるものとする。また、液晶表示パネル９０が、本技術の「電圧印加により光の偏光状態を電気的に変えることで画像光を生成する表示パネルモジュール」の一具体例に相当する。液晶表示パネル９０そのものが、例えば、図１８に示したように、ノーマリーブラックの透過率特性または反射率特性において、低電圧側に変曲点Ｐが存在する光学特性となっている。
【００４９】
（液晶表示パネル９０）
液晶表示パネル９０は、電圧印加により光の偏光状態を電気的に変えることで画像光を生成するものである。液晶表示パネル９０Ｒは、入力された赤色用の映像信号ＶｓｉｇＲ１〜ＶｓｉｇＲＮに基づいて入射光を変調することにより、赤色の映像光を生成するものである。液晶表示パネル９０Ｇは、入力された緑色用の映像信号ＶｓｉｇＧ１〜ＶｓｉｇＧＮに基づいて入射光を変調することにより、緑色の映像光を生成するものである。液晶表示パネル９０Ｂは、入力された青色用の映像信号ＶｓｉｇＢ１〜ＶｓｉｇＢＮに基づいて入射光を変調することにより、青色の映像光を生成するものである。なお、液晶表示パネル９０は、図２に示した構成と同様の構成となっているが、液晶表示パネル９０に含まれる液晶層の偏光特性が、液晶表示パネル１０に含まれる液晶層の偏光特性と異なっている。
【００５０】
図１８は、液晶表示パネル９０の光学特性の一例を表したものである。液晶表示パネル９０は、ノーマリーブラックの透過率特性または反射率特性において、低電圧側に変曲点Ｐが存在する光学特性となっている。液晶表示パネル９０の有効電圧範囲は、Ｖ１ボルト（＞０ボルト）〜Ｖ２ボルトとなっている。つまり、液晶表示パネル９０の黒表示時の電圧（有効電圧範囲の下限の電圧）が、０ボルトよりも大きな電圧値に引き上げられている。なお、液晶表示パネル９０は、例えば、図１９に示したように、ノーマリーブラックの反射率特性において、低電圧側に変曲点Ｐが存在する光学特性を有していてもよい。また、液晶表示パネル９０は、例えば、図２０に示したように、ノーマリーブラックの透過率特性において、低電圧側に変曲点Ｐが存在する光学特性を有していてもよい。
【００５１】
いずれの場合においても、液晶表示パネル９０は、低電圧側に変曲点Ｐを有しており、液晶表示パネル９０の有効電圧範囲が、Ｖ１ボルト（＞０ボルト）〜Ｖ２ボルトとなっている。つまり、液晶表示パネル９の黒表示時の電圧（有効電圧範囲の下限の電圧）が、０ボルトよりも大きな電圧値に引き上げられている。
【００５２】
図２１は、信号処理回路４０における動作の一例を表したものである。信号処理回路４０は、上記実施の形態と同様に、例えば、像信号補正部４１と、記憶部４２とを有している。本実施の形態において、映像信号補正部４１は、ホワイトバランス補正値４２Ａと、γ補正値４２Ｂとを用いて、各色用の映像信号ＤＡＲ’，ＤＡＧ’，ＤＡＢ’を補正し、補正により得られた映像信号を、映像信号ＤＡＲ，ＤＡＧ，ＤＡＢとして、液晶ドライバ６０に出力するようになっている（ステップＳ３０１）。
【００５３】
[補正値の導出]
次に、ホワイトバランス補正値４２Ａおよびγ補正値４２Ｂの導出について説明する。まず、工場出荷前の試験を実施する試験装置（以下、単に「試験装置」と称する。）が、液晶表示パネル９０に印加する電圧値（映像信号Ｖｓｉｇ１〜ＶｓｉｇＮ）として、複数組の電圧値を設定する。そして、試験装置は、映像信号Ｖｓｉｇ１〜ＶｓｉｇＮとして、複数組の電圧値を時系列に印加して、液晶表示パネル９０に映像を表示させる。
【００５４】
次に、試験装置は、液晶表示パネル９０に映像を表示させている間に、表示映像を撮影する。具体的には、試験装置は、液晶表示パネル９０Ｒの映像光、液晶表示パネル９０Ｇの映像光、および液晶表示パネル９０Ｂの映像光の合成光（表示映像）を撮影する。次に、試験装置は、撮影した表示映像に対して、ホワイトバランスの調整を行うことにより、液晶表示パネル９０に印加する電圧の有効電圧範囲と、ホワイトバランス補正値とを導出する。
【００５５】
次に、試験装置は、液晶表示パネル９０に、映像信号Ｖｓｉｇ１〜ＶｓｉｇＮとして、有効電圧範囲の複数組の電圧を時系列に印加して、液晶表示パネル９０に映像を表示させる。続いて、試験装置は、液晶表示パネル９０に映像を表示させている間に、表示映像を撮影する。具体的には、試験装置は、液晶表示パネル９０に、映像信号Ｖｓｉｇ１〜ＶｓｉｇＮとして、有効電圧範囲の複数組の電圧を時系列に印加している間、液晶表示パネル９０Ｒの映像光、液晶表示パネル９０Ｇの映像光、および液晶表示パネル９０Ｂの映像光をそれぞれ別個に撮影する。次に、試験装置は、撮影した表示映像から、γ補正値を導出する。
【００５６】
試験装置は、ホワイトバランス補正値４２Ａおよびγ補正値４２Ｂを導出したのち、表示装置２内の所定の記憶領域（例えば、記憶部４２）に格納する。このようにして、工場出荷前の試験（補正）が行われる。
【００５７】
[効果]
次に、表示装置２の効果について説明する。表示装置２では、液晶表示パネル９０が、ノーマリーブラックの透過率特性または反射率特性において、低電圧側に変曲点Ｐが存在する光学特性となっている。これにより、例えば、液晶表示パネル９０の黒表示時の電圧（有効電圧範囲の下限の電圧）を０ボルトよりも大きな電圧値にした場合に、光学特性の変曲点Ｐを、有効電圧範囲の下限の電圧に対応させておくことができる。ただし、変曲点Ｐを完全に、有効電圧範囲の下限の電圧にする必要はなく、人の視認性が変化しない範囲内で、変曲点Ｐに対応する電圧が有効電圧範囲の下限の電圧と異なっていてもよい。
【００５８】
その結果、有効電圧範囲の下限の電圧における反射率を０またはそれに近い値にすることができるので、コントラストの低下を抑えることができる。また、有効電圧範囲の下限の電圧を０ボルトよりも大きな電圧値にしたことにより、低電圧側の透過率特性または反射率特性の、電圧変動に対する感度を高くすることができる。その結果、低電圧側の色ムラの補正を十分に行うことができる。従って、コントラストの低下を抑えつつ、低電圧側の色ムラを改善することができる。
【００５９】
＜３．第３の実施の形態＞
図２２は、本技術の第３の実施の形態に係るプロジェクタ１００（投射型表示装置）の全体構成の一例を表したものである。プロジェクタ１００は、例えば、図示しない情報処理装置の画面に表示されている画像をスクリーン１９０上に投影するものである。プロジェクタ１００は、反射型の液晶パネルをライトバルブとして使用した反射型液晶プロジェクタである。このライトバルブが、上記実施の形態の液晶表示パネル１０およびリターダ２０からなる反射型の光学モジュール１７となっており、この光学モジュール１７が、駆動回路３０によって駆動される。
【００６０】
プロジェクタ１００は、例えば、赤、緑および青の各色用の液晶ライトバルブ（光学モジュール１７）を３枚用いてカラー画像表示を行う、いわゆる３板方式のものである。プロジェクタ１００は、例えば、発光部１１０と、ダイクロイックミラー１２５，１２６と、全反射ミラー１２７と、光学モジュール１７（液晶表示パネル１０Ｒ，１０Ｇ，１０Ｂおよびリターダ２０Ｒ,２０Ｇ，２０Ｂ）とを備えている。プロジェクタ１００は、さらに、例えば、偏光ビームスプリッタ１６０，１７０，１８０と、合成プリズム１４０と、投射レンズ１５０とを備えている。なお、発光部１１０、ダイクロイックミラー１２５，１２６、全反射ミラー１２７、偏光ビームスプリッタ１６０，１７０，１８０および合成プリズム１４０からなる光学系が、「照明光学系」の一具体例に相当する。また、投射レンズ１５０が、「投影光学系」の一具体例に相当する。
【００６１】
発光部１１０は、カラー画像表示に必要とされる、赤色光、青色光および緑色光を含んだ白色光を発するものであり、例えばハロゲンランプ、メタルハライドランプまたはキセノンランプなどにより構成されている。ダイクロイックミラー１２５は、発光部１１０の光路ＡＸ上に配置されており、発光部１１０からの光を、青色光１１１Ｂとその他の色光（赤色光１１１Ｒ，緑色光１１１Ｇ）とに分離する機能を有している。ダイクロイックミラー１２６は、発光部１１０の光路ＡＸ上に配置されており、ダイクロイックミラー１２５を通過した光を、赤色光１１１Ｒと緑色光１１１Ｇとに分離する機能を有している。全反射ミラー１２７は、ダイクロイックミラー１２５で反射された光の光路上に配置されており、ダイクロイックミラー１２５によって分離された青色光１１１Ｂを、偏光ビームスプリッタ１８０に向けて反射するようになっている。
【００６２】
偏光ビームスプリッタ１６０は、赤色光１１１Ｒの光路上に配置されており、偏光分離面１６０Ａにおいて、入射した赤色光１１１Ｒを互いに直交する２つの偏光成分に分離する機能を有している。偏光ビームスプリッタ１７０は、緑色光１１１Ｇの光路上に配置されており、偏光分離面１７０Ａにおいて、入射した緑色光１１１Ｇを互いに直交する２つの偏光成分に分離する機能を有している。偏光ビームスプリッタ１８０は、青色光１１１Ｂの光路上に配置されており、偏光分離面１８０Ａにおいて、入射した青色光１１１Ｂを互いに直交する２つの偏光成分に分離する機能を有している。偏光分離面１６０Ａ，１７０Ａ，１８０Ａは、一方の偏光成分（例えばＳ偏光成分）を反射し、他方の偏光成分（例えばＰ偏光成分）を透過するようになっている。
【００６３】
液晶ライトバルブは、液晶表示パネル１０およびリターダ２０からなる光学モジュール１７を含んで構成されたものであり、入力された映像信号に基づいて入射光を変調することにより、各色の映像光を生成するものである。赤色光用の液晶ライトバルブ（液晶表示パネル１０Ｒおよびリターダ２０Ｒ）は、偏光分離面１６０Ａにおいて反射された赤色光１１１Ｒの光路上に配置されている。赤色光用の液晶ライトバルブ（液晶表示パネル１０Ｒおよびリターダ２０Ｒ）は、例えば、赤色の映像信号に応じてパルス幅変調（ＰＷＭ）されたデジタル信号によって駆動され、それによって入射光を変調させると共に、その変調光を偏光ビームスプリッタ１６０に向けて反射する機能を有している。緑色光用の液晶ライトバルブ（液晶表示パネル１０Ｇおよびリターダ２０Ｇ）は、偏光分離面１７０Ａにおいて反射された緑色光１１１Ｇの光路上に配置されている。緑色光用の液晶ライトバルブ（液晶表示パネル１０Ｇおよびリターダ２０Ｇ）は、例えば、緑色の映像信号に応じてパルス幅変調（ＰＷＭ）されたデジタル信号によって駆動され、それによって入射光を変調させると共に、その変調光を偏光ビームスプリッタ１７０に向けて反射する機能を有している。青色光用の液晶ライトバルブ（液晶表示パネル１０Ｂおよびリターダ２０Ｂ）は、偏光分離面１８０Ａにおいて反射された青色光１１１Ｂの光路上に配置されている。青色光用の液晶ライトバルブ（液晶表示パネル１０Ｂおよびリターダ２０Ｂ）は、例えば、青色の映像信号に応じてパルス幅変調（ＰＷＭ）されたデジタル信号によって駆動され、それによって入射光を変調させると共に、その変調光を偏光ビームスプリッタ１８０に向けて反射する機能を有している。
【００６４】
合成プリズム１４０は、各色光用の液晶ライトバルブから出射され、偏光ビームスプリッタ１６０，１７０，１８０を透過した各変調光の光路が互いに交差する位置に配置されている。合成プリズム１４０は、各変調光を合成し、カラーの映像光を生成する機能を有している。投射レンズ１５０は、合成プリズム１４０から出射された映像光の光路上に配置されており、合成プリズム１４０から出射された映像光を、スクリーン１９０に向けて投射する機能を有している。
【００６５】
本実施の形態では、各色光用の液晶ライトバルブにおいて、上記第１の実施の形態の光学モジュール１７が用いられている。これにより、低電圧側の色ムラの補正が十分になされた映像を表示することができ、さらに、高コントラストの映像を表示することができる。
【００６６】
＜４．第４の実施の形態＞
図２３は、本技術の第４の実施の形態に係るプロジェクタ２００（投射型表示装置）の全体構成の一例を表したものである。プロジェクタ２００は、例えば、図示しない情報処理装置の画面に表示されている画像をスクリーン１９０上に投影するものである。プロジェクタ２００は、透過型の液晶パネルをライトバルブとして使用した透過型液晶プロジェクタである。このライトバルブが、上記第２の実施の形態の液晶表示パネル９０となっており、この液晶表示パネル９０が、駆動回路３０によって駆動される。
【００６７】
プロジェクタ２００は、例えば、赤、緑および青の各色用の液晶ライトバルブ（光学モジュール１７）を３枚用いてカラー画像表示を行う、いわゆる３板方式のものである。プロジェクタ２００は、例えば、発光部１１０と、光路分岐部１２０、空間光変調部１３０、合成プリズム１４０および、投射レンズ１５０を備えている。
【００６８】
光路分岐部１２０は、発光部１１０から出力された光１１１を波長帯の互いに異なる複数の色光に分離して、各色光を空間光変調部１３０の被照射面に導くものである。光路分岐部１２０は、例えば、図２３に示したように、１つのクロスミラー１２１と、４つのミラー１２２を含んで構成されている。クロスミラー１２１は、発光部１１０から出力された光１１１を波長帯の互いに異なる複数の色光に分離する共に各色光の光路を分岐するものである。このクロスミラー１２１は、例えば、光軸ＡＸ上に配置されており、互いに異なる波長選択性を持つ２枚のミラーを互いに交差させて連結して構成されている。４つのミラー１２２は、クロスミラー１２１により光路分岐された色光（図２３では赤色光１１１Ｒ，青色光１１１Ｂ）を反射するものであり、光軸ＡＸとは異なる場所に配置されている。４つのミラー１２２のうち２つのミラー１２２は、クロスミラー１２１に含まれる一のミラーによって光軸ＡＸと交差する一の方向に反射された光（図２３では赤色光１１１Ｒ）を液晶表示パネル９０Ｒの被照射面に導くように配置されている。４つのミラー１２２のうち残りの２つのミラー１２２は、クロスミラー１２１に含まれる他のミラーによって光軸ＡＸと交差する他の方向に反射された光（図２３では青色光１１１Ｂ）を液晶表示パネル９０Ｂの被照射面に導くように配置されている。なお、発光部１１０から出力された光１１１のうちクロスミラー１２１を透過して光軸ＡＸ上を通過する光(図２３では緑色光１１１Ｇ)は、光軸ＡＸ上に配置された液晶表示パネル９０Ｇの被照射面に入射するようになっている。
【００６９】
液晶表示パネル９０Ｒは、合成プリズム１４０の一の面との対向領域に配置されている。この液晶表示パネル９０Ｒは、入射した赤色光１１１Ｒを映像信号に基づいて変調して赤画像光１１２Ｒを生成し、この赤画像光１１２Ｒを液晶表示パネル９０Ｒの背後にある合成プリズム１４０の一の面に出力するようになっている。液晶表示パネル９０Ｇは、合成プリズム１４０の他の面との対向領域に配置されている。この液晶表示パネル９０Ｇは、入射した緑色光１１１Ｇを映像信号に基づいて変調して緑画像光１１２Ｇを生成し、この緑画像光１１２Ｇを液晶表示パネル９０Ｇの背後にある合成プリズム１４０の他の面に出力するようになっている。液晶表示パネル９０Ｂは、合成プリズム１４０のその他の面との対向領域に配置されている。この液晶表示パネル９０Ｂは、入射した青色光１１１Ｂを映像信号に基づいて変調して青画像光１１２Ｂを生成し、この青画像光１１２Ｂを液晶表示パネル９０Ｂの背後にある合成プリズム１４０のその他の面に出力するようになっている。
【００７０】
合成プリズム１４０は、複数の変調光を合成して画像光を生成するものである。この合成プリズム１４０は、例えば、光軸ＡＸ上に配置されており、例えば、４つのプリズムを接合して構成されたクロスプリズムである。これらのプリズムの接合面には、例えば、多層干渉膜等により、互いに異なる波長選択性を持つ２つの選択反射面が形成されている。一の選択反射面は、例えば、液晶表示パネル９０Ｒから出力された赤画像光１１２Ｒを光軸ＡＸと平行な方向に反射して投射レンズ１５０の方向に導くようになっている。また、他の選択反射面は、例えば、液晶表示パネル９０Ｂから出力された青画像光１１２Ｂを光軸ＡＸと平行な方向に反射して投射レンズ１５０の方向に導くようになっている。また、液晶表示パネル９０Ｇから出力された緑画像光１１２Ｇは、２つの選択反射面を透過して、投射レンズ１５０の方向に進むようになっている。結局、合成プリズム１４０は、液晶表示パネル９０Ｒ，９０Ｇ，９０Ｂによってそれぞれ生成された画像光を合成して画像光１１３を生成し、生成した画像光１１３を投射部１５０に出力するように機能する。
【００７１】
投影レンズ１５０は、合成プリズム１４０から出力された画像光１１３をスクリーン１９０上に投影して画像を表示させるものである。この投影レンズ１５０は、例えば、光軸ＡＸ上に配置されている。
【００７２】
本実施の形態では、各色光用の液晶ライトバルブにおいて、上記第２の実施の形態の液晶表示パネル９０が用いられている。これにより、低電圧側の色ムラの補正が十分になされた映像を表示することができ、さらに、高コントラストの映像を表示することができる。
【００７３】
以上、実施の形態および適用例を挙げて本発明を説明したが、本発明はこれらに限定されず、種々の変形が可能である。
【００７４】
また、例えば、本技術は以下のような構成を取ることができる。
（１）
電圧印加により光の偏光状態を電気的に変えることで画像光を生成する表示パネルモジュールであって、
当該表示パネルモジュールは、ノーマリーブラックの透過率特性または反射率特性において、低電圧側に変曲点が存在する光学特性となっている
表示パネルモジュール
（２）
前記変曲点は、当該表示パネルモジュールの黒表示時の電圧に対応している
（１）に記載の表示パネルモジュール。
（３）
ノーマリーブラックの透過率特性または反射率特性を有し、かつ電圧印加により光の偏光状態を電気的に変えることで画像光を生成する液晶表示パネルと、
前記液晶表示パネルと対向して配置され、かつ電圧印加により光の偏光状態が電気的に変化するリターダと
を備えた
（１）または（２）に記載の表示パネルモジュール。
（４）
ノーマリーブラックの透過率特性または反射率特性において、低電圧側に変曲点が存在する光学特性となっており、かつ電圧印加により光の偏光状態を電気的に変えることで画像光を生成する液晶表示パネルを備えた
（１）ないし（３）のいずれか１つに記載の表示パネルモジュール。
（５）
電圧印加により光の偏光状態を電気的に変えることで画像光を生成する表示パネルモジュールと、
電圧印加により前記表示パネルモジュールを駆動する駆動回路と
を備え、
前記表示パネルモジュールは、ノーマリーブラックの透過率特性または反射率特性において、低電圧側に変曲点が存在する光学特性となっている
表示装置。
（６）
前記駆動回路は、黒表示時に、前記変曲点に対応する電圧を前記表示パネルモジュールに印加するようになっている
（５）に記載の表示装置。
（７）
前記表示パネルモジュールは、
ノーマリーブラックの透過率特性または反射率特性を有し、かつ電圧印加により光の偏光状態を電気的に変えることで画像光を生成する液晶表示パネルと、
前記液晶表示パネルと対向して配置され、かつ電圧印加により光の偏光状態が電気的に変化するリターダと
を有する
（５）または（６）に記載の表示装置。
（８）
前記駆動回路は、固定の電圧値を前記リターダに出力した後に、ホワイトバランス補正値およびγ補正値を用いて補正した映像信号を前記液晶表示パネルに出力するようになっている
（７）に記載の表示装置。
（９）
前記表示パネルモジュールは、
低電圧側に変曲点を有するノーマリーブラックの透過率特性または反射率特性を有し、かつ電圧印加により光の偏光状態を電気的に変えることで画像光を生成する液晶表示パネルを有する
（５）に記載の表示装置。
（１０）
照明光学系と、
電圧印加により前記照明光学系からの光の偏光状態を電気的に変えることで画像光を生成する表示パネルモジュールと、
電圧印加により前記表示パネルモジュールを駆動する駆動回路と、
前記表示パネルモジュールで生成された画像光を投射する投影光学系と
を備え、
前記表示パネルモジュールは、ノーマリーブラックの透過率特性または反射率特性において、低電圧側に変曲点が存在する光学特性となっている
投射型表示装置。
【符号の説明】
【００７５】
１，２…表示装置、１０，１０Ｒ，１０Ｇ，１０Ｂ，９０，９０Ｒ，９０Ｇ，９０Ｂ…液晶表示パネル、１１…パネル部、１２…ＦＰＣ、１３…画素領域、１４…画素、１５…データ線駆動回路、１６…走査線駆動回路、２０Ｒ，２０Ｇ，２０Ｂ…リターダ、２０−１…光変調セル、２１，２７…透明基板、２２…下側電極、２２Ａ…部分電極、２３，２５…配向膜、２４…液晶層、２６…上側電極、３０…駆動回路、４０…信号処理回路、４１…映像信号補正部、４２…記憶部、４２Ａ…ホワイトバランス補正値、４２Ｂ…γ補正値、５０…タイミング生成回路、６０，６０Ｒ，６０Ｇ，６０Ｂ…液晶ドライバ、６１…サンプル・ホールド回路、６２…Ｄ／Ａ変換回路、６３…ドライバ、７０…ＶＣＯＭ回路、８０…リターダ制御回路、１００，２００…プロジェクタ。
【図１】
2014021263.tif 000003
【図２】
2014021263.tif 000004
【図３】
2014021263.tif 000005
【図４】
2014021263.tif 000006
【図５】
2014021263.tif 000007
【図６】
2014021263.tif 000008
【図７】
2014021263.tif 000009
【図８】
2014021263.tif 000010
【図９】
2014021263.tif 000011
【図１０】
2014021263.tif 000012
【図１１】
2014021263.tif 000013
【図１２】
2014021263.tif 000014
【図１３】
2014021263.tif 000015
【図１４】
2014021263.tif 000016
【図１５】
2014021263.tif 000017
【図１６】
2014021263.tif 000018
【図１７】
2014021263.tif 000019
【図１８】
2014021263.tif 000020
【図１９】
2014021263.tif 000021
【図２０】
2014021263.tif 000022
【図２１】
2014021263.tif 000023
【図２２】
2014021263.tif 000024
【図２３】
2014021263.tif 000025
【図２４】
2014021263.tif 000026
【図２５】
2014021263.tif 000027